(57)【要約】  ダイアフラムポンプは、ダイアフラムカートリッジ組立体を含んでいる。ダイアフラムカートリッジは、ポンプ送りされる流体側と液圧流体側とを規定するダイアフラムと、ダイアフラムの液圧流体側を受け且つ中央開口部を有するシートと、を有する自給式ユニットである。付勢ロッドが、液圧流体側でダイアフラムに取り付けられ、且つシートの開口部を通って延在している。バルブガイドが、付勢ロッドの延在端部に設けられ、バルブスプールが、バルブガイドにスライド可能に取り付けられている。付勢要素が、シート及びバルブガイドと係合する。ポンプは、複合型の入口チェックバルブ及び排出チェックバルブを含むバルブカートリッジを含んでもよい。
2016537563.tif 000002
【特許請求の範囲】
【請求項１】
ダイアフラムカートリッジ組立体であって、
ポンプ送りされる流体側と液圧流体側とを規定するダイアフラムと、
前記ダイアフラムの前記液圧流体側を受け且つ中央開口部を有するシートと、
前記液圧流体側で前記ダイアフラムに取り付けられ且つ前記シートの前記中央開口部を通って延在する付勢ロッドと、
前記付勢ロッドの延在端部でのバルブガイドと、
前記バルブガイドにスライド可能に取り付けられたバルブスプールと、
前記シート及び前記バルブガイドと係合する付勢要素と、
を備える、ダイアフラムカートリッジ組立体を備えていることを特徴とするダイアフラムポンプ。
【請求項２】
前記液圧流体側と流体連通する前記シートの上部においてエアブリードラインをさらに備えていることを特徴とする請求項１に記載のダイアフラムポンプ。
【請求項３】
前記エアブリードラインを通じての空気の除去を容易にするために、前記ダイアフラムカートリッジ組立体上にエアブリード装置をさらに備えていることを特徴とする請求項２に記載のダイアフラムポンプ。
【請求項４】
整列要素をさらに備えていることを特徴とする請求項１に記載のダイアフラムポンプ。
【請求項５】
前記エアブリード装置を前記エアブリードラインと整列させるために、前記ダイアフラムカートリッジ組立体上に整列要素をさらに備えていることを特徴とする請求項３に記載のダイアフラムポンプ。
【請求項６】
前記ダイアフラムポンプが、複数のダイアフラムカートリッジ組立体を備えていることを特徴とする請求項１に記載のダイアフラムポンプ。
【請求項７】
前記ダイアフラムポンプが、前記ダイアフラムに対して液圧流体を推進するプランジャを駆動するクランクシャフトを備えていることを特徴とする請求項１に記載のダイアフラムポンプ。
【請求項８】
漏出検出システムをさらに備えていることを特徴とする請求項１に記載のダイアフラムポンプ。
【請求項９】
入口チェックバルブ及び出口チェックバルブを含むチェックバルブカートリッジをさらに備えていることを特徴とする請求項１に記載のダイアフラムポンプ。
【請求項１０】
入口及び出口を含むマニフォルドをさらに備えていることを特徴とする請求項９に記載のダイアフラムポンプ。
【請求項１１】
複数のダイアフラムカートリッジ組立体と、入口及び出口を含むマニフォルドと、を備え、前記マニフォルドが、チェックバルブカートリッジを含んでいることを特徴とする請求項１に記載のダイアフラムポンプ。
【請求項１２】
前記マニフォルドが、入口チェックバルブ及び出口チェックバルブを含む複数のチェックバルブカートリッジを含んでいることを特徴とする請求項１１に記載のダイアフラムポンプ。
【請求項１３】
前記複数のダイアフラムカートリッジ組立体のそれぞれが、前記複数のチェックバルブカートリッジの関連する１つと流体連通していることを特徴とする請求項１２に記載のダイアフラムポンプ。
【請求項１４】
前記ダイアフラムポンプが、前記複数のダイアフラムカートリッジ組立体の関連するダイアフラムに対して液圧流体を推進する複数のプランジャを駆動するクランクシャフトを備えていることを特徴とする請求項１に記載のダイアフラムポンプ。
【請求項１５】
ポンプ送りされる流体側と液圧流体側とを規定するダイアフラムと、
前記ダイアフラムの前記液圧流体側及び中央開口部を受けるシートと、
前記液圧流体側で前記ダイアフラムに取り付けられ且つ前記シートの前記中央開口部を通って延在する付勢ロッドと、
前記付勢ロッドの延在端部でのバルブガイドと、
前記バルブガイドにスライド可能に取り付けられたバルブスプールと、
前記シート及び前記バルブガイドと係合する付勢要素と、
を備えていることを特徴とするダイアフラムポンプのためのダイアフラムカートリッジ組立体。
【請求項１６】
前記ダイアフラムカートリッジ組立体が、取り外し可能な自給式カートリッジであることを特徴とする請求項１５に記載のダイアフラムカートリッジ組立体。
【請求項１７】
前記シートの上部でのエアブリードラインをさらに備えていることを特徴とする請求項１５に記載のダイアフラムカートリッジ組立体。
【請求項１８】
整列要素をさらに備えていることを特徴とする請求項１５に記載のダイアフラムカートリッジ組立体。
【発明の詳細な説明】
【技術分野】
【０００１】
本出願は、ＰＣＴ国際特許出願として２０１４年１０月３０日付けで出願されたもので、２０１３年１０月３１日付けで出願された米国仮特許出願番号６１／８９８，３６６に優先権を主張するものであり、当該出願の要旨は、その全体を参照することによって組み込まれる。
【０００２】
本発明は、ダイアフラムポンプ、特に取り外し可能な自給式ダイアフラムカートリッジを有する液圧式の被駆動ダイアフラムポンプに関する。
【背景技術】
【０００３】
ダイアフラムポンプは、液圧式流体圧力によって偏向させられるダイアフラムによってポンプ流体が移動させられる、液圧式の被駆動ポンプである。このようなポンプは、良好な価値及び効率を提供するとともに、信頼性がある。このようなダイアフラムポンプは、ダイアフラムの液圧側でのオイルの体積を制御するバルブシステムを利用する。このようなシステムは、例えば、Hembreeの、Wanner Engineering, Incに譲渡された特許文献１に示されている。ダイアフラムポンプのバルブシステムは、一般的に付勢ロッドと称されるロッドに取り付けられたダイアフラムの中央で構成され、付勢ロッドは、バルブスプールを作動させ、ダイアフラムに付勢力を付与するバネのための取付具も提供する。
【０００４】
このようなポンプシステムは、良好な性能及び信頼性を提供するが、さらなる改善が可能である。ダイアフラムポンプは、定期的に点検される必要があり、このようなバルブシステムを有するポンプでは、ダイアフラムは、バルブ構成要素及び他のポンプ構成要素へのアクセスを得るためにロッドから分離されなければならない。このようなバルブシステムのバネは、ダイアフラムの背後の不動面に支持されるか又は取り付けられなければならず、ダイアフラムを取り外すためにさらなる分解及び組立を必要とする。従って、ダイアフラムが取り替えられなければならない場合、ロッド取付具の取り外しも必要となる。このようなポンプでは、ダイアフラムは、付勢ロッドからダイアフラムを分離するために前方に引かれ、これにより、ロッドへのアクセスを得なければならない。さらに、スプールバルブ及び付勢ロッド組立体が取り外されると、ダイアフラムの背後のプレートも取り外されなければならない。他の公知の構成は、ダイアフラムを通過する締結具を必要とするが、これは、締結具が螺合解除される間にダイアフラムが保持されるように、ダイアフラムの背後のロッドへのアクセスをさらに必要とする。これら形態のすべては、点検のために多数の構成要素の取り外し及び分解を必要とし、構成要素を取り外すために構成要素へのアクセス及び／又は構成要素の把持における困難性を増大させる可能性がある。構成要素の組立及び分解は、テンションをかけられたバネを有することによって構成され、バネは、着脱されなければならず、且つ組立体から押し出され、又はポンプもしくはダイアフラムから他の構成要素を押し出し、それにより、パーツがなくなる可能性を増大させる。
【先行技術文献】
【特許文献】
【０００５】
【特許文献１】米国特許第７４２５１２０号明細書
【発明の概要】
【発明が解決しようとする課題】
【０００６】
従って、ダイアフラムをロッドから取り外すことなくダイアフラム及びバルブを取り外すためのよりシンプルなシステムをもたらす、ダイアフラムカートリッジを有する新規の且つ改良されたダイアフラムポンプが必要とされていることが分かる。さらに、このようなダイアフラムポンプ及びバルブシステムは、ダイアフラムへのアクセスを得るために流体ヘッドを取り外す以外に、ポンプを分解しなければならないことを回避すべきである。本発明は、これらの問題、及びダイアフラム及びバルブシステムに関連する他の問題に対処する。
【課題を解決するための手段】
【０００７】
本発明は、取り外し可能な自給式ダイアフラムカートリッジを有するダイアフラムポンプに向けられている。ダイアフラムカートリッジは、組立体として取り外され、且つ点検されるか、又は別のダイアフラムカートリッジとシンプルに取り換えられる。ダイアフラムカートリッジの取り外しは、他の要素の取り外しを必要とせず、ダイアフラムを操作するための特別なツールも必要としない。ダイアフラムカートリッジは、バルブガイドに接続された付勢ロッドに接続されたダイアフラムを含む。バルブスプールが、バルブガイドの厚さが減少されたセクション内でスライドし、且つ狭められたセクションの両端でショルダの間で移動する。バルブスプールは、過充填バルブ(overfill valve)及び未充填バルブ(underfill valve)を開閉するために移動する。通常稼働状態の下では、バルブスプールは、過充填バルブ及び未充填バルブ双方を覆っている。
【０００８】
ダイアフラム及び付勢ロッドは、バネによってダイアフラムシートに対して保持されている。ダイアフラムカートリッジは、ダイアフラムの頂部での通路がエアブリードラインと整列することを保証するために、整列ピンによって適切に配置されている。ダイアフラムは、流体ポンプ送り動作を提供するために、上死点での前進位置と、後退位置と、の間の往復運動動作で偏向する。ダイアフラムカートリッジは、一実施形態では漏出検出プレートがマニフォルドと液圧プレートとの間にクランプされた状態で、液圧プレートと漏出検出プレートとの間に位置決めされている。
【０００９】
ダイアフラムカートリッジは、ダイアフラムと付勢ロッドとバルブガイドとバルブスプールとダイアフラムシートとバネとを含む自給式組立体を含んでいる。
【００１０】
従って、カートリッジ全体は、カートリッジのさまざまな要素のいかなる分解もなく取り外される。さらに、ダイアフラムカートリッジは、液圧プレートへの接続を必要とするバネ取付具又は個別のバルブの使用を回避する。ダイアフラムシートは、カートリッジがダイアフラムの背後へのアクセスと、従来技術の構成で概して必要とされる特別なツールと、を必要としないように、容易にアクセスされ且つ係合される。さらなる利点は、液圧プレートが所定位置に残されたままであり、従ってダイアフラムを変更または点検するときにオイルがクランクケース内に残ったままであってもよいことである。
【００１１】
本発明のさらなる側面によれば、チェックバルブカートリッジが、ダイアフラムカートリッジと合わせて使用されてもよい。多数のチェックバルブカートリッジが、各ダイアフラムが関連するチェックバルブカートリッジを有して単一のポンプで使用されてもよい。各チェックバルブカートリッジは、入口チェックバルブ及び排出チェックバルブの組み合わせとして構成されている。ダイアフラムカートリッジのように、チェックバルブは、完全に自給式組立体であり、追加的な要素が入口チェックバルブ及び／又は排出チェックバルブを点検するため且つこれらバルブにアクセスするために取り外される必要がないように構成され且つアクセスされる。
【００１２】
本発明は、特に、カートリッジで構成されたシステムを使用することによって、多数のさまざまな要素の分解を必要とする従来技術のダイアフラムポンプでは可能ではなかった現場でのメンテナンスを実行するときに、より信頼性があり、アクセス及びメンテナンスのために容易且つ極めてシンプルなシステムを提供する。
【００１３】
本発明を特徴づける新規のこれらの特性及びさまざまな他の利点は、特に本明細書に添付され且つ本明細書の一部を形成する特許請求の範囲で示されている。しかしながら、本発明と、本発明の利点と、本発明の使用によって得られる対象と、のより良好な理解のために、本発明の好ましい一実施形態が例示されて説明される、本明細書のさらなる一部を形成する図面と、添付の説明的事項と、が参照される。
【００１４】
図面を参照すると、同様の参照文字及び参照符号は、いくつかの図を通して対応する構造を示している。
【図面の簡単な説明】
【００１５】
【図１】本発明の原理に従うダイアフラムポンプの斜視図である。
【図２】ダイアフラムが第１位置にある、図１に示したダイアフラムポンプの側断面図である。
【図３】ダイアフラムが第２位置にある、図１に示したダイアフラムポンプの側断面図である。
【図４】ダイアフラムが図２に示した位置にある、ダイアフラムカートリッジの側面図である。
【図５】ダイアフラムが図３に示した位置にある、ダイアフラムカートリッジの側面図である。
【図６】ダイアフラムが図２に示した位置にある、ダイアフラムカートリッジの側断面図である。
【図７】ダイアフラムが図３に示した位置にある、ダイアフラムカートリッジの側断面図である。
【図８】図２に示したダイアフラムカートリッジの斜視図である。
【図９】図２に示したダイアフラムカートリッジの分解斜視図である。
【図１０】本発明の原理に従うダイアフラムポンプの第２実施形態の一部の側断面図である。
【図１１】図１に示したポンプのためのマニフォルドの断面図である。
【図１２】図１に示したポンプのためのチェックバルブカートリッジの斜視図である。
【図１３】図１２に示したチェックバルブカートリッジの第１側面図である。
【図１４】図１２に示したチェックバルブの第２側面図である。
【図１５】図１３の線１５−１５に沿って切り取られた、チェックバルブカートリッジの断面図であって、チェックバルブが第１位置にある、断面図である。
【図１６】図１３の線１５−１５に沿って切り取られた、チェックバルブカートリッジの断面図であって、チェックバルブが第２位置にある、断面図である。
【図１７】図１２に示したチェックバルブカートリッジの分解斜視図である。
【発明を実施するための形態】
【００１６】
図面、特に図１を参照すると、流体ポンプ、例えば液圧式の被駆動ダイアフラムポンプが、全体して符号（２０）で示されている。ダイアフラムポンプは、クランクケース（２２）に取り付けられた回転クランクシャフト（３６）への接続によって駆動される。マニフォルド（２６）が、入口通路（１４６）と、１つ以上のチェックバルブを収納する出口通路（１４８）と、を含んでいる。ハウジングは、多数のダイアフラムと、クランクシャフト（３６）に接続された関連する構成要素と、を含んでもよい。
【００１７】
図２及び図３を参照すると、ポンプ（２０）は、ダイアフラム（５２）を含む、全体として符号（５０）で示された自給式ダイアフラムカートリッジを含む。ダイアフラム（５２）は、容器（２８）内の液圧チャンバ（３０）と、プランジャチャンバ（３２）と、ポンプ送りチャンバ（３４）と、の内部に収容された液圧流体によって駆動される。液圧流体は、液圧チャンバ（３０）を通じてダイアフラムカートリッジ（５０）へのアクセスを有している。液圧流体は、ダイアフラムの液圧側を偏向させてポンプ送り動作を与えるために、ダイアフラムに対して推進される。ピストンハウジング（２４）が、容器（２８）、輸送液圧チャンバ（３０）及びプランジャチャンバ（３２）を規定する。ポンプ送りチャンバ（３４）は、過充填バルブ（７２）及び未充填バルブ（７４）を含む。クランクシャフト（３６）は、クランクケース（２２）内でスライダ（４０）に取り付けられた接続ロッド（３８）を含む。スライダ（４０）は、ピストンタイププランジャ（４２）に接続され、ピストンタイププランジャ（４２）は、往復運動して、液圧チャンバ（３０）から液圧流体を推進し、これにより、ダイアフラム（５２）と係合する。通路（６６）が、プランジャ（４２）とダイアフラム（５２）との間の流体連通を提供する。さらに、スプール孔（７６）が、ダイアフラム（５２）へのさらなる流体連通を提供する。いくつかの実施形態では、クランクシャフト（３６）は、同じポンプ内で多数の異なるダイアフラムに取り付け、且つシャフトに沿ったオフセット部分を含み、このため、個々のダイアフラムがポンプ送りストロークのさまざまな段階でポンプ送りするために同期されることが理解される。マニフォルド（２６）を通る通路が、ダイアフラム（５２）によって液圧チャンバ（３０）内に吸引され、且つ液圧チャンバ（３０）を通って排出される。ダイアフラム（５２）は、概して、直径が比較的大きく、且つ比較的小さい量偏向するように構成される。ダイアフラム（５２）の短いストロークは、プランジャ（４２）のより大きいストロークによって推進される。プランジャ（４２）のより長いストロークは、プランジャ（４２）が、より小さい直径を使用することと、クランクシャフト（３６）及びポンプ（２０）のクランクケース（２２）に、より小さい荷重を与えることと、を可能にし、従ってより小さいストレスを与える。
【００１８】
マニフォルド（２６）は、入口チェックバルブ及び出口チェックバルブを収納している。一実施形態では、ポンプ（２０）は、複合型の入口バルブ及び排出チェックバルブ組立体を含み、これら組立体は、以下で例示されるように、ダイアフラム（５２）のそれぞれのために入口チェックバルブ（１０２）及び排出チェックバルブ（１０４）を含むチェックバルブカートリッジ（１００）として構成されてもよい。チェックバルブは、入口通路（１４６）内へのポンプ流体の吸引と、出口通路（１４８）を通って外部へのポンプ流体の排出と、を提供する。
【００１９】
図４から図８を参照すると、ダイアフラムカートリッジ（５０）は、点検及び修理のためにユニットとして容易に取り外し可能な自給式組立体である。ダイアフラムカートリッジ（５０）は、付勢ロッド（５４）に接続されたダイアフラム（５２）を含んでいる。付勢ロッド（５４）は、取付ネジ（５８）によりバルブガイド（５６）に取り付けられる。バルブガイド（５６）は、直径が減少するセクションを有し、バルブスプール（６０）が、バルブガイド（５６）によって作り出された、減少した直径を有する空間内をスライドする。バルブスプール（６０）は、バルブガイド（５６）の直径が減少したセクションの両端部に形成されたショルダの間で移動する。図２及び図３に示すように、バルブスプール（６０）は、過充填バルブ（７２）及び未充填バルブ（７４）への開口部を隠すように移動可能である。通常稼働状態の下では、バルブスプール（６０）は、過充填バルブ（７２）及び未充填バルブ（７４）双方への開口部を覆っている。バルブスプール（６０）は、通常位置から第２位置へ移動可能であり、第２位置では、バルブスプール（６０）は、過充填バルブ（７２）への開口部を覆っているが、未充填バルブ（７４）への開口部を覆っておらず、これにより、容器（２８）と液圧チャンバ（３０）との間の流体流れを提供する。バルブスプール（６０）は、第３位置にも移動可能であり、第３位置では、スプール（６０）は、未充填バルブ（７４）への開口部を覆っているが、過充填バルブ（７２）への開口部を露出させ、これにより、プランジャチャンバ（３２）との流体連通を提供する。バルブスプール（６０）、未充填バルブ（７４）及び過充填バルブ（７２）は、適切な液圧流体レベルが維持されることを保証する。
【００２０】
ダイアフラム（５２）及び付勢ロッド（５４）は、バネ（６４）によってダイアフラムシート（６２）に対して保持されている。ダイアフラムシート（６２）は、付勢ロッド（５４）のための中央開口部を規定し、且つダイアフラム（５２）の頂部に位置づけられた通路（６６）を含む。従って、通路（６６）は、空気を放出させるように作用し、このため、ダイアフラムチャンバの頂部で捕捉された任意の空気は、図２及び図３に示すように、放出され、且つエアブリード（７８）を通ってシステムを出る。
【００２１】
一実施形態では、ピン（６８）が、カートリッジ（５０）がポンプ（２０）内に挿入されるときに、ダイアフラム（５２）の頂部に位置づけられた通路（６６）を有するダイアフラムカートリッジ（５０）を適切に配置するために利用される。ダイアフラムカートリッジ（５０）は、図６では、ダイアフラム（５２）が延在位置にある状態で示してある。付勢ロッド（５４）は、ダイアフラム（５２）とともに動き、且つバネ（６４）を圧縮する。図７では、ダイアフラム（５２）は、付勢バネ（６４）が付勢ロッド（５４）を後方に押した状態の最も格納された後方位置に、又は図５から図７に示す右に動かされて示してある。
【００２２】
ダイアフラムカートリッジ（５０）は、図２及び図３に示すように、液圧プレート（８０）と漏出検出プレート（８２）との間でクランプ固定されている。漏出検出プレート（８２）は、マニフォルド（２６）と液圧プレート（８０）との間に位置決めされている。漏出検出プレート（８２）は、漏出を表すために流体が逃げることを可能にする通路（８６）を含んでいる。さらに、図１０に示すさらなる一実施形態では、ダイアフラムカートリッジ（５０）及びポンプ（２０）は、漏出検出システムがないように構成され、且つマニフォルド（２６）及び液圧プレート（８０）によって形成された空間内に取り付けられている。
【００２３】
本発明の一実施形態では、ポンプ（２０）は、図１０及び図１１に示すように、全体として符号（１００）で示された、マニフォルド（２６）内に取り付けられた１つ以上のチェックバルブカートリッジを含んでいる。図１１に最も明確に示すように、多数のチェックバルブカートリッジ（１００）は、入口通路（１４６）及び出口通路（１４８）に沿って接続している。ポンプ送りチャンバ通路（１５２）は、カートリッジ（１００）のそれぞれと関連するダイアフラム（５２）のために各バルブカートリッジから関連するポンプ送りチャンバ（３２）に通じる。
【００２４】
図１２から図１７を参照すると、チェックバルブカートリッジ（１００）は、下部ハウジング（１１０）、中央ハウジング（１２０）及び上部ハウジング（１３０）を含んでいる。下部ハウジング（１１０）は、取り外し可能な第１ピン（１１８）によって中央ハウジング（１２０）に接続している。第１ピン（１１８）は、マニフォルド（１４０）内に挿入されてから所定位置に取り付けられておらず且つ保持されていないときに、取り外し可能である。同様に、中央ハウジング（１２０）は、取り外し可能な第２ピン（１３２）によって上部ハウジング（１３０）に取り付けられている。第１ピン（１１８）のように、取り外し可能な第２ピン（１３２）は、カートリッジ（１００）が挿入されたときにマニフォルド（１４０）の壁部によって所定位置に保持されている。従って、チェックバルブカートリッジ（１００）は、入口チェックバルブモジュールと排出チェックバルブモジュールとに分割されている。下部ハウジング（１１０）は、マニフォルド（２６）の入口通路（１４６）に接続する入口通路（１１２）を含み、これは、マニフォルド（２６）を通るヘッダーを形成する。下部ハウジングが、入口チェックバルブ（１０２）を形成する一方で、中央ハウジング（１２０）が上部ハウジング（１３０）とともに排出チェックバルブ（１０４）を形成する。入口チェックバルブ（１０２）は、閉鎖されたときに入口チェックバルブシート（１１４）をシールするボールバルブ（１１６）を含んでいる。入口チェックバルブ（１０２）は、Ｏ−リングタイプのガスケットを含むか、又はチェックボールバルブ（１１６）に係合するシールを含むシール（１５０）を含んでいる。さらに、シリンダ状ライナ（１３８）が、各チェックバルブ内に挿入され、これにより、チェックボールバルブ（１１６）を整列させるとともにガスケット（１５０）を適切な位置に保持する。
【００２５】
バルブ（１０２）とバルブ（１０４）との間では、中央ハウジング（１２０）が、マニフォルド（２６）内に形成されたポンプ送りチャンバ通路（１５２）に接続する通路（１２２）を形成している。中央ハウジング（１２０）は、Ｏ−リングタイプのガスケット（１５０）と所定位置にガスケットを保持するシリンダ状インサート（１３８）とを受けるシート（１２８）を形成している。排出ボールバルブ（１２６）は、排出チェックバルブ（１０４）が閉鎖位置にあるときにガスケット（１５０）と係合する。ピン（１３２）は、中央ハウジング（１２０）を上部ハウジング（１３０）に接続し、且つ排出ボールバルブ（１２６）のための移動距離リミッターとして作用する。
【００２６】
上部ハウジング（１３０）は、カートリッジ（１００）を回すためにツールを適用することを可能にする、従来のレンチ、ソケット又は同様のツールと係合することを可能にする六角形の頂部（１０６）又は他の形状を含んでいる。また、上部ハウジング（１３０）は、カートリッジ（１００）を固定するために、マニフォルド（２６）の相補的ネジ山（１４２）と噛合するネジ山部分（１３４）を含む。このような形態は、メンテナンス又は取り換えが必要とされる場合に従来のツールによるチェックバルブカートリッジ（１００）の容易且つシンプルな取り外し及び交換を提供する。また、上部ハウジング（１３０）は、マニフォルド（２６）内に形成された出口通路（５６）と整列するオリフィス（１３６）を形成している。
【００２７】
チェックバルブカートリッジ（１００）は、入口チェックバルブ（１０２）及び排出チェックバルブ（１０４）双方を含み、これらバルブは、ダイアフラム（５２）のポンプ送り作用によって自動的に作動される。ダイアフラムストロークの吸引部分の間に、ボールバルブ（１１６）及びボールバルブ（１２６）は、図１５に示すように位置決めされる。ダイアフラム（５２）からの吸引は、シート（１１４）及びガスケット（１５０）から係合解除するために上方に入口ボールバルブ（１１６）を引っ張り、このため、流体は、入口通路（１１２）と、入口バルブ（１０２）と、ポンプ送りチャンバ（３４）につながるポンプ送りチャンバ通路（１５２）に接続する通路（１２２）と、を通過する。入口ボールバルブ（１１６）の移動距離は、下部ピン（１１８）によって制限されており、且つ流体がボールバルブ（１１６）周りで且つ入口チェックバルブ（１０２）を通過することを可能にする。
【００２８】
ダイアフラム（５２）のポンプ送りストロークのこの部分の間に、排出ボールバルブ（１２６）は、排出チェックバルブシート（１２８）及びガスケット（１５０）と係合したままである。この形態は、ポンプ送りされた流体がダイアフラム（５２）によって引き戻されることを防止する。
【００２９】
図１６を参照すると、ダイアフラムストロークの排出部分の間に、入口チェックバルブ（１０２）は閉鎖され、排出チェックバルブ（１０４）は開放されている。ダイアフラム（５２）は、ポンプ送りチャンバ（３４）並びに通路（１５２）及び通路（１２２）を通る流体を、排出ボールバルブ（１２６）と係合させ、且つ流体に、シート（１２８）及びそのそれぞれのガスケット（１５０）との係合からボールバルブ（１２６）を持ち上げさせる。
【００３０】
排出ボールバルブ（１２６）の移動距離は、ピン（１３２）によって制限されるが、流体がボールバルブ（１２６）周りで流れることを可能にする。ポンプ流体は、出口通路（１４８）と整列させられた横断オリフィス（１３６）を通過し、出口通路（１４８）において流体がマニフォルド（２６）から推進される。
【００３１】
ダイアフラム（５２）のストロークのポンプ送り部分の間に、入口チェックバルブ（１０２）は、入口バルブシート（１１４）及びそのそれぞれのガスケット（１５０）と係合する入口ボールバルブ（１１６）により閉鎖させられる。
【００３２】
チェックバルブカートリッジ（１００）は、ボールバルブ（１１６，１２６）のみによりシンプル且つ信頼性のある稼働を提供し、ボールバルブ（１１６，１２６）は、ポンプ（２０）の吸引又は排出ストロークからの圧力変化に応答して、移動し、且つボールバルブ（１１６）及びボールバルブ（１２６）のそれぞれの移動距離を自動的に制限する幾何学配置を有することが分かる。カートリッジ（１００）全体は、従来のレンチ又はソケットによりカートリッジ（１００）をシンプルに螺合解除することによって、取り外されて取り換えられるか、もしくは取り外されて点検されるか、又は維持される。さらに、カートリッジ（１００）は、完全に自給式組立体であり、且つ追加的な要素が入口チェックバルブ（１０２）及び／又は排出チェックバルブ（１０４）を点検及びこれらバルブにアクセスするために取り外される必要がないように構成され且つアクセスされる。
【００３３】
稼働中に、クランクシャフト（３６）は、ピストン又はプランジャ（４２）を往復運動させるために回転する。液圧チャンバ（３０）内の液圧オイルは、ダイアフラムを往復運動させてポンプ送り動作を提供するためにダイアフラム（５２）に対して推進される。延在及びそして後退するためのダイアフラム（５２）の偏向は、ポンプ送りされた流体を吸引及び排出する。
【００３４】
ダイアフラムカートリッジ（５０）は、すべて含んだ自給式組立体で、ダイアフラム（５２）、付勢ロッド（５４）、バルブガイド（５６）、バルブスプール（６０）、ダイアフラムシート（６２）及びバネ（６４）を含んでいる。従って、ダイアフラムカートリッジ（５０）全体は、分解されることなく単一のユニットとして取り外されてもよい。液圧プレート（５０）への接続に必要なバネ取付具又は個別のバルブは、設けられていない。さらに、カートリッジ（５０）は、ダイアフラムの背後の範囲へのアクセス、又は他のポンプ要素の取り外しを必要とすることなく取り外すことができる。従って、液圧プレート（８０）は、所定位置に残すことができ、クランクケース（２２）は、ダイアフラムを変更するとき、又はダイアフラムカートリッジ組立体（５０）に対する他のメンテナンス又は点検を提供するときに、オイルで満たされたままとすることができる。さらに、チェックバルブカートリッジ（１００）は、完全に自給式組立体であり、且つ追加的な要素が入口チェックバルブ（１０２）及び／又は排出チェックバルブ（１０４）を点検及びこれらバルブにアクセスするために取り外される必要がないように構成され且つアクセスされる。この形態は、極めてよりシンプルであり、より短い時間でメンテナンスがなされることを達成し、これは、従来技術のダイアフラムポンプの点検又はメンテナンスを提供するときに生じる可能性がある、バネの付勢力を受けて小さいパーツをなくす可能性を排除する。
【００３５】
しかしながら、本発明の多数の特徴及び利点が、本発明の構造及び機能の細部とともに上記の説明で記述されていたとしても、開示は、単に実例のためのものであり、変更が、添付の特許請求の範囲に表される用語の広く一般的な意味によって最大限示された本発明の原理内で、特にパーツの形状、サイズ及び配置の事項において詳細になされてもよいことが理解されるべきである。
【符号の説明】
【００３６】
２０  ダイアフラムポンプ、２６  マニフォルド、３６  クランクシャフト、４２  プランジャ、５０  ダイアフラムカートリッジ組立体、５２  ダイアフラム、５４  付勢ロッド、５６  バルブガイド、６０  バルブスプール、６２  シート、６４  付勢要素、６６  エアブリード装置、６８  整列要素、７８  エアブリードライン、８２  漏出検出システム、１００  チェックバルブカートリッジ、１０２  入口チェックバルブ、１０４  出口チェックバルブ、１４６  入口、１４８  出口
【図１】
2016537563.tif 000003
【図２】
2016537563.tif 000004
【図３】
2016537563.tif 000005
【図４】
2016537563.tif 000006
【図５】
2016537563.tif 000007
【図６】
2016537563.tif 000008
【図７】
2016537563.tif 000009
【図８】
2016537563.tif 000010
【図９】
2016537563.tif 000011
【図１０】
2016537563.tif 000012
【図１１】
2016537563.tif 000013
【図１２】
2016537563.tif 000014
【図１３】
2016537563.tif 000015
【図１４】
2016537563.tif 000016
【図１５】
2016537563.tif 000017
【図１６】
2016537563.tif 000018
【図１７】
2016537563.tif 000019
【国際調査報告】
2016537563.tif 000020
2016537563.tif 000021